(57)【要約】【課題】  放出口に放出した紙幣から一部の紙幣が抜き取られたかどうかについて、外見から一見して判断できるようにすることで、係員の作業性を向上させ、且つ利用者との間で無用なトラブルが生じるのを防止できる紙幣処理装置を提供する。【解決手段】  紙幣処理装置は、取り忘れ紙幣を回収しているときに、紙幣の抜き取りが検知されると、すぐに紙幣の回収を停止する。したがって、取り忘れ紙幣の回収時に、釣り銭紙幣が抜き取られても、紙幣放出口に残っている紙幣が装置に回収されずに紙幣放出口から外部に突出しているので、係員は紙幣放出口に放出されている紙幣から一部の紙幣が抜き取られたかどうかについて、外見から一見して判断できる。このため、利用者から取り忘れの申告があっても、利用者に対して迅速且つ適正に対応することができるだけでなく、利用者との間で無用なトラブルが生じるのを防止でき、さらには係員の作業性を向上できる。【選択図】  図１
2005251114.tif 000002
【特許請求の範囲】
【請求項１】
複数枚の紙幣を放出する場合、放出する複数枚の紙幣を重ねた紙幣束を放出口から外部に突出する紙幣放出手段と、
前記放出口における紙幣の有無を検知する紙幣検知手段と、
前記紙幣放出手段が放出口から外部に紙幣を突出してから、予め定めた一定時間経過後に、前記紙幣検知手段により前記放出口に紙幣があることが検知されていれば、放出口にある紙幣を装置内部に回収する紙幣回収手段と、
前記紙幣回収手段が紙幣を回収しているときに、回収している紙幣が装置外部に抜取られたときに、そのことを検知する抜き取り検知手段と、を備え、
前記紙幣回収手段は、前記抜き取り検知手段により回収している紙幣が装置外部に抜取られたことが検知されたとき、紙幣の回収を停止して、前記放出口より装置内部に紙幣全体を取り込まない紙幣処理装置。
【請求項２】
前記紙幣回収手段は、紙幣の回収開始時には第１の搬送速度で紙幣を装置内部に搬送し、回収している紙幣が前記放出口から突出していない状態になると、前記第１の搬送速度よりも高速の第２の搬送速度で紙幣を装置内部に搬送する請求項１に記載の紙幣処理装置。
【請求項３】
前記紙幣放出手段が放出口から外部に紙幣を突出してから、予め定めた一定時間経過するまでの間に、前記抜き取り検知手段により紙幣が装置外部に抜取られたことが検知された場合、前記紙幣回収手段による紙幣の回収を禁止する回収禁止手段を備えた請求項１または２に記載の紙幣処理装置。
【請求項４】
前記抜き取り検知手段は、放出口から外部に突出している紙幣を挟持している２つのローラの回転数の相違により、紙幣が装置外部に抜取られたとことを検知する請求項１〜３のいずれかに記載の紙幣処理装置。
【発明の詳細な説明】
【技術分野】
【０００１】
この発明は、必要に応じて紙幣を放出する紙幣処理装置に関し、特に複数枚の紙幣を放出する場合に紙幣を重ねて放出口から放出する紙幣処理装置に関する。
【背景技術】
【０００２】
従来、キップ等の乗車券類を販売する券売機には、５千円札や１万円札等の高額紙幣が使用できるものがある。高額紙幣が使用できる券売機には、釣り銭等で複数枚の紙幣を放出する場合に、紙幣を重ねた紙幣束の状態で、紙幣放出口から外部に突出させる紙幣処理装置が適用されている。利用者は、紙幣放出口から外部に突出している部分を持って、放出された紙幣を抜き取る。
【０００３】
このような紙幣処理装置では、利用者が操作になれていなかった、急いでいた、うっかりしていた等、様々な原因で放出された紙幣を取り忘れることがある。利用者が取り忘れた紙幣を紙幣放出口から外部に突出させた状態で放っておくと、通りすがりの者や、次の利用者等の第３者が紙幣放出口に取り忘れ紙幣があることに気がつき、この取り忘れ紙幣を持ち去ってしまう。そこで、取り忘れ紙幣が第３者に持ち去られるのを防止するために、放出口に紙幣を放出してから、一定時間経過しても紙幣が抜き取られなかった場合、利用者が取り忘れたと判断し、紙幣放出口に放出した紙幣を装置内部に回収することが提案されている（特許文献１等参照）。装置内部に回収した取り忘れ紙幣は、利用者から紙幣を取り忘れた旨の申告があったときに、係員がその申告の正当性を判断し、正当性があれば利用者に返却する。従来の装置は、利用者の申告の正当性を判断するための情報として、取り忘れ紙幣を回収するときに、日時、投入金額、販売した乗車券類等を特定する情報を記憶している。
【０００４】
また、このように、紙幣を重ねた紙幣束の状態で、この紙幣束を紙幣放出口から外部に突出させる紙幣処理装置では、放出した紙幣から一部の紙幣が利用者に抜き取られて詐取されることがある。具体的には、利用者が紙幣放出口から外部に突出している紙幣束の一部（数枚）を作為的且つ不正に抜き取って隠したのち、係員に放出紙幣枚数の不足を申告することがあった。この場合、係員は利用者からの申告に対して、利用者が一部の紙幣を抜き取ったかどうかを簡単且つ正確に判断することができなかった。そこで、複数枚の紙幣を重ねた状態で放出した場合に、最上部の紙幣に転接するローラの回転を検出することで、一部の紙幣が抜き取られたことを検知できる装置が提案されている（特許文献２参照）。また、この特許文献文献２では、紙幣放出口における紙幣の厚みの変化から、抜き取られた紙幣の枚数を検知することも提案されている。
【特許文献１】特開平７−１５２９５４号公報
【特許文献２】特開平９−１０２０６１号公報
【発明の開示】
【発明が解決しようとする課題】
【０００５】
しかしながら、従来の紙幣処理装置では、放出され静止した状態の紙幣から一部の紙幣が抜き取られたことを検知することはできるが、放出してから一定時間経過して取り忘れたと判断して装置内部に回収し始めた場合には、最上部の紙幣に転接するローラの回転を検出しても、回収処理により紙幣が搬送されることでローラが回転するため、抜き取りを検知することができなかった。さらには、回収処理中に紙幣が抜き取られ、あとになって利用者から紙幣を取り忘れた旨の申告があった場合、係員はその申告に対して、紙幣処理装置内にある取り忘れ紙幣の回収箱から取り忘れた紙幣を返却する。しかし、回収箱にある紙幣は抜き取られた残りの紙幣なので、返却金が不足することになるが、係員には不足の原因が装置によるものか、抜き取りによるものか区別がつかない問題があった。
【０００６】
この発明の目的は、取り忘れ紙幣を回収しているときにも、紙幣の抜き取りを検知でき、且つ、抜き取られた残りの取り忘れ紙幣を装置内部の回収箱まで回収することのない紙幣処理装置を提供することにある。
【課題を解決するための手段】
【０００７】
この発明の紙幣処理装置は、上記課題を解決するために以下の構成を備えている。
【０００８】
（１）複数枚の紙幣を放出する場合、放出する複数枚の紙幣を重ねた紙幣束を放出口から外部に突出する紙幣放出手段と、
前記放出口における紙幣の有無を検知する紙幣検知手段と、
前記紙幣放出手段が放出口から外部に紙幣を突出してから、予め定めた一定時間経過後に、前記紙幣検知手段により前記放出口に紙幣があることが検知されていれば、放出口にある紙幣を装置内部に回収する紙幣回収手段と、
前記紙幣回収手段が紙幣を回収しているときに、回収している紙幣が装置外部に抜取られたときに、そのことを検知する抜き取り検知手段と、を備え、
前記紙幣回収手段は、前記抜き取り検知手段により回収している紙幣が装置外部に抜取られたことが検知されたとき、紙幣の回収を停止して、前記放出口より装置内部に紙幣全体を取り込まない。
【０００９】
この構成では、紙幣放出手段が複数枚の紙幣を重ねた紙幣束を放出口から外部に突出させてから、予め定めた一定時間経過しても、紙幣が抜き取られずに放出口にあれば、紙幣回収手段により放出口にある取り忘れ紙幣を回収する。紙幣回収手段は、取り忘れ紙幣を回収しているときに、抜き取り検知手段により回収している紙幣の一部が装置外部に抜取られたことが検知されると、紙幣の回収を停止する。
【００１０】
したがって、係員は、紙幣の抜き取りが検知されたときに、実際に放出口から外部に突出している紙幣の枚数を確認することができ、不足があれば、その場で抜き取りがあったかどうかを直接利用者に尋ねることができる。
【００１１】
（２）前記紙幣回収手段は、紙幣の回収開始時には第１の搬送速度で紙幣を装置内部に搬送し、回収している紙幣が前記放出口から突出していない状態になると、前記第１の搬送速度よりも高速の第２の搬送速度で紙幣を装置内部に搬送するようにしてもよい。
【００１２】
この構成では、紙幣回収手段が回収している紙幣が放出口から外部に突出している間、言い換えれば回収されている紙幣の抜き取りが行える間、比較的低速である第１の速度で紙幣を搬送する（紙幣を装置内部に引き込む。）。これにより、抜き取り検知手段が紙幣の抜き取りを検知したときに、紙幣の回収を停止するまでの間における紙幣の搬送距離を十分に短くできる。したがって、放出口から紙幣が突出している状態で装置を停止させることができる。
【００１３】
また、紙幣回収手段が回収している紙幣が放出口から外部に突出していない状態になると、比較的高速である第２の速度で紙幣を搬送し回収する。したがって、取り忘れ紙幣の回収にかかる時間が無用に長くなることもない。
【００１４】
（３）前記紙幣放出手段が放出口から外部に紙幣を突出してから、予め定めた一定時間経過するまでの間に、前記抜き取り検知手段により紙幣が装置外部に抜取られたことが検知された場合、前記紙幣回収手段による紙幣の回収を禁止する回収禁止手段を備えてもよい。
【００１５】
この構成では、紙幣放出手段が複数枚の紙幣を重ねた紙幣束を放出口から外部に突出させてから予め定めた一定時間経過する前、すなわち紙幣回収手段による紙幣の回収が開始される前に、紙幣の抜き取りが検知された場合、回収禁止手段が紙幣回収手段による紙幣の回収を禁止する。したがって、どのようなタイミングで紙幣の抜き取りが検知されても、抜き取られた残りの紙幣を装置内部に取り込んでしまうことがない。
【発明の効果】
【００１６】
この発明によれば、紙幣の取り忘れを申告してきた利用者に対して、係員が迅速且つ適正に対応することができ、また利用者との間で無用なトラブルが生じるのを防止できる。
【発明を実施するための最良の形態】
【００１７】
図１は、この発明の実施形態である紙幣処理装置を適用した券売機の正面図であり、図２はこの券売機の構成を示すブロック図である。券売機１は、本体の動作を制御する制御部２と、本体に対する入力操作を行う操作部３と、本体正面に設けられた表示器４ａに操作ガイダンスや券売機１の状態等を表示する表示部４と、キップ、プリペイドカード、定期券等の乗車券類を発行する発券装置５と、硬貨の受付処理や放出処理を行う硬貨処理装置６と、紙幣の受付処理や放出処理を行う紙幣処理装置７と、を備えている。発券装置５、硬貨処理装置６、および紙幣処理装置７は、制御部２からの指示にしたがって動作する。操作部３は、表示器４ａの画面上に取り付けた周知のタッチパネル３ａを有し、表示器４ａの画面上で入力操作が行える構成である。また、操作部３は、本体正面に配置され、利用者が係員を呼び出すときに押下する呼出ボタン３ｂを有している。この呼出ボタン３ｂは、利用者が誤って押下するのを防止するために、押下面を本体表面に突出させていない埋め込み型のボタンとし、図示していないがその前面にカバーを取り付けている。
【００１８】
発券装置５は、制御部２からの指示にしたがって乗車券類を発行する装置であり、キップ、プリペイドカード、定期券等の乗車券類の種類毎に台紙を収納する収納部を備えている。また、制御部２から発行が指示された乗車券類の種類に応じた台紙を該当する収納部から繰り出し、券売機１の正面に設けられた券放出口５ａへ搬送する券搬送部を有している。さらに、発券装置５は券搬送部が券放出口５ａへ搬送している台紙に対して、乗車券データを印字する印字部や、この乗車券データを磁気データで台紙に記録する磁気記録部を有している。
【００１９】
硬貨処理装置６は、金種毎に硬貨を収納する収納部を有し、券売機１の正面に設けられた硬貨投入口６ａから投入された硬貨について、その金種を硬貨鑑別部で鑑別し、その鑑別結果（金種）に応じた収納部へ送る硬貨搬送部を有している。また、硬貨処理装置６は、硬貨鑑別部の鑑別結果、すなわち投入された硬貨の金種、を制御部２に通知する。制御部２は、この通知に基づいて、投入された硬貨による金額を判断する。さらに、硬貨処理装置６は、制御部２から釣り銭硬貨の放出が指示されたとき、合計金額が今回指示された放出金額になるように金種毎に硬貨の放出枚数を決定し、金種毎に収納部から決定した放出枚数の硬貨を繰り出し、繰り出した硬貨を券売機１の正面に設けられた硬貨放出口６ｂから放出する。
【００２０】
なお、硬貨処理装置６は硬貨投入口６ａから投入された硬貨であって、硬貨鑑別部で金種が鑑別できなかった硬貨については、収納部に収納せずに硬貨放出口６ｂから放出する。
【００２１】
図３は、この発明の実施形態である紙幣処理装置の構成を示す図である。紙幣処理装置７は、１万円札、５千円札、千円札を金種毎に収納する収納部１１ａ、１１ｂ、１１ｃ、利用者が取り忘れた紙幣を収納する回収紙幣収納部１２、紙幣の金種を鑑別する紙幣鑑別部１３、券売機１の正面に設けられた紙幣投入口７ａから投入された紙幣を一時的に保留する保留部１４、券売機１の正面に設けられた紙幣放出口７ｂに放出する紙幣を重ね合わせる重ね合せ部１５、紙幣放出口７ｂにおける紙幣の有無を検知する紙幣検知部１６、および紙幣放出口７ｂに放出した紙幣の抜き取りを検知する抜き取り検知部１７を備えている。また、紙幣処理装置７には、紙幣を搬送する紙幣搬送路が形成されており、図示していない紙幣搬送部がこの紙幣搬送路に沿って紙幣を搬送する。紙幣投入口７ａに投入された紙幣は紙幣搬送路に沿って搬送され、紙幣鑑別部１３で金種の鑑別が行われる。また、紙幣鑑別部１３で金種が鑑別された紙幣は、収納部１１ａ、１１ｂ、１１ｃ、保留部１４または重ね合せ部１５に搬送される。保留部１４に搬送された紙幣は再度紙幣鑑別部１３で金種を鑑別し、鑑別した金種に対応する収納部１１ａ、１１ｂ、１１ｃへ搬送して収納するか、または紙幣投入口７ａに搬送する。収納部１１ａ、１１ｂ、１１ｃから繰り出された紙幣は、紙幣鑑別部１３に搬送される。重ね合せ部１５に搬送された紙幣は、紙幣放出口７ｂへ搬送される。また、取り忘れ紙幣は紙幣放出口７ｂから回収紙幣収納部１２に搬送される。紙幣搬送部は、紙幣の搬送先に応じて、紙幣搬送路の分岐点に設けたフラッパを切り替え、紙幣を目的の場所へ搬送する。
【００２２】
また、紙幣処理装置７は、紙幣投入口７ａに投入された紙幣について、紙幣鑑別部１３の鑑別結果、すなわち投入された紙幣の金種、を制御部２に通知する。制御部２は、この通知に基づいて、投入された紙幣による金額を判断する。また、紙幣処理装置７は、紙幣鑑別部１３で金種が鑑別できなかった紙幣については、紙幣投入口７ａに戻す。さらに、紙幣処理装置７は、制御部２から釣り銭紙幣の放出が指示されたときに、合計金額が今回指示された放出金額になるように金種毎に紙幣の放出枚数を決定し、金種毎に収納部から決定した放出枚数の紙幣を繰り出し、重ね合せ部１５でこれらの紙幣を重ね合わせ、紙幣束の状態にして紙幣放出口７ｂから放出する。
【００２３】
図４は、紙幣処理装置の紙幣放出口付近の構成を示す図であり、図４（Ａ）は正面図、図４（Ｂ）は図４（Ａ）における右側面図である。図４に示す、２１、２２は紙幣放出口７ｂの直前に設けた一対のローラであり、紙幣搬送路の端部である。紙幣放出口７ｂにおいて放出された紙幣は、この一対のローラ２１、２２に挟持されている。言い換えれば、紙幣放出口７ｂから外部に突出している紙幣は、この一対のローラ２１、２２に挟持されており、利用者が外部に突出している部分を持って抜き取るように構成されている。ローラ２１には駆動ベルトが取り付けられており、図示していない駆動モータにより回転される。図示していない紙幣搬送部がこの駆動モータを制御する。この駆動モータの回転数を検知することで、ローラ２１の回転数を算出している。またローラ２１の回転軸は、揺動自在に取り付けており、適当な押圧力でローラ２２に押圧されるようにローラ２２側に付勢している。また、ローラ２１の回転軸を揺動自在に取り付けているので、ローラ２１、２２が挟持している紙幣の枚数に応じて、ローラ２１をローラ２２に押圧できる。ローラ２２はローラ２１の回転および挟持された紙幣の搬送にともなって回転する従動ローラであり、抜き取り検知部１７はこのローラ２２の回転軸に取り付けたエンコーダ２３を有する。エンコーダ２３はローラ２２の回転軸に取り付けたスリット円盤２３ａとセンサ２３ｂとからなり、センサ２３ｂの検出位置におけるスリット円盤２３ａのスリットの通過を検出することで、ローラ２２の回転数を検知する。抜き取り検知部１７は、このローラ２２の回転数と、ローラ２１の回転数との相違から、紙幣の抜き取りを検知する。
【００２４】
ローラ２１とローラ２２とは同じ径であり、紙幣の搬送時における回転数は略同じである。抜き取り検知部１７は、ローラ２１に対するローラ２２の回転数が±１０％の範囲内であれば紙幣の抜き取りが行われていないとする。言い換えれば、抜き取り検知部１７は、ローラ２１に対するローラ２２の回転数が±１０％の範囲内でなければ紙幣の抜き取りが行われたと判定する。
【００２５】
なお、抜き取り検知部１７は、ローラ２１に対してローラ２２の回転数が１０％以上大きければ、紙幣が引き抜かれたと判定し、またローラ２１に対してローラ２２の回転数が１０％以上小さければ、回収している紙幣が保持されていると判定する。
【００２６】
また、紙幣放出口７ｂの近傍には、上下方向に紙幣放出口７ｂをまたいで対向配置した発光部２４ａ、および受光部２４ｂからなるセンサが配置されており、紙幣検知部１６はこのセンサの検出出力により紙幣放出口７ｂにおける紙幣の有無を検知する。
【００２７】
以下、この発明の実施形態である券売機１の動作について説明する。
【００２８】
図５は、この発明の実施形態である券売機の動作を示すフローチャートである。券売機１は、利用者による硬貨、または紙幣の投入があると、投入された硬貨、または紙幣の金種を硬貨処理装置６、または紙幣処理装置７が鑑別し、鑑別結果である金種を制御部２に通知する（ｓ１、ｓ４、ｓ５）。硬貨処理装置６は、金種が鑑別できた硬貨については金種に応じた収納部に搬送して収納し、反対に金種が鑑別できなかった硬貨については硬貨放出口６ｂから放出して利用者に返却する。また、紙幣処理装置７は金種が鑑別できた紙幣については保留部１４に搬送して保留部１４で一時保留し、金種が鑑別できなかった紙幣については紙幣投入口７ａに戻し、利用者に返却する。制御部２は、硬貨処理装置６、および紙幣処理装置７からｓ５で通知される金種を基に、利用者が投入した硬貨、および紙幣の合計金額、すなわち投入金額、を算出する。また、券売機１は、操作部３において発券する乗車券類の選択が行われると（ｓ２）、選択された乗車券類の価値に対して投入金額が不足していないかどうかを判定し（ｓ７）、金額不足であれば表示部４がその旨を表示器４ａに表示して、利用者に知らせ（ｓ８）、ｓ１に戻って硬貨または紙幣の追加投入を待つ。一方、ｓ７で金額不足でないと判定すると、制御部２が発券装置５に対して、今回選択された乗車券類の発券を指示し、発券装置５がこの指示にしたがって乗車券類を発券する発券処理を行う（ｓ９）。
【００２９】
このｓ９にかかる乗車券類を発券する発券処理については公知であるので、ここでは簡単に説明する。発券装置５は、選択された乗車券類の台紙を該当する収納部から繰り出し、この台紙に乗車券データの印字や磁気記録を行う。そして、この乗車券類を券放出口５ａから放出する。
【００３０】
そして、券売機１は、投入金額と発券した乗車券類の価値との差額を放出する釣り銭放出処理を行い（ｓ１０）、本処理を終了する。具体的には、制御部２が釣り銭金額を算出し、硬貨処理装置６に対して硬貨で放出する釣り銭金額を指示するとともに、紙幣処理装置に対して紙幣で放出する釣り銭金額を指示する。硬貨処理装置６は、制御部２から釣り銭金額が指示されると、合計金額が今回指示された硬貨で放出する釣り銭金額になるように金種毎に硬貨の放出枚数を決定し、金種毎に収納部から決定した放出枚数の硬貨を繰り出し、繰り出した硬貨を券売機１の硬貨放出口６ｂから放出する。
【００３１】
なお、紙幣処理装置７における釣り銭放出処理については後述する。
【００３２】
さらに、券売機１は、利用者が操作部３において発券する乗車券類の選択入力を行うことなく、取消にかかる入力操作を行った場合（ｓ３）、硬貨処理装置６、および紙幣処理装置７に対して、投入金額の放出を指示し、硬貨処理装置６、および紙幣処理装置７に投入金額を放出させる取消処理を行い（ｓ６）、本処理を終了する。この取消処理では、硬貨処理装置６は、今回硬貨投入口６ａから投入された硬貨毎に、同じ金種の硬貨を収納部から繰り出し、ここで繰り出した硬貨を硬貨放出口６ｂから放出する。一方、紙幣処理装置７は、保留部１４に保留している紙幣を繰り出し、この紙幣を紙幣投入口７ａから放出する。このように、券売機１は紙幣の投入後に取消にかかる操作が行われた場合、利用者が投入した紙幣を利用者に返却する。
【００３３】
次に、ｓ１０にかかる紙幣処理装置７の釣り銭放出処理について説明する。図６は、紙幣処理装置の釣り銭放出処理を示すフローチャートである。紙幣処理装置７は、制御部２から今回指示された紙幣で放出する釣り銭金額になるように、金種毎に紙幣の放出枚数を決定する（ｓ２１）。紙幣処理装置７は、金種毎にｓ２１で決定した放出枚数の紙幣を収納部１１ａ、１１ｂ、１１ｃから繰り出し、重ね合せ部１５に搬送する（ｓ２２）。紙幣処理装置７は、金種毎にｓ２１で決定した放出枚数の紙幣を重ね合せ部１５に搬送すると、図７に示すように重ね合せ部１５において紙幣を重ねた紙幣束の状態にして、紙幣放出口７ｂから外部に突出させる放出処理を行う（ｓ２３、ｓ２４）。紙幣放出口７ｂから放出された紙幣束は、ローラ２１、２２により挟持されている。また、駆動側のローラ２１は停止しており、放出した紙幣束の搬送も停止している。
【００３４】
紙幣処理装置７は、ｓ２４で紙幣放出口７ｂに釣り銭紙幣の放出を行うと、表示器３ａにおける表示や、音等により、釣り銭紙幣の放出を行ったことを利用者に報知するとともに、タイマをスタートさせて釣り銭紙幣の放出からの経過時間の計測を開始する（ｓ２５）。紙幣処理装置７は、紙幣放出口７ｂから放出した紙幣が抜き取られるか、またはｓ２５で計測を開始したタイマが予め定めた一定時間を計測するのを待つ（ｓ２６、ｓ２７）。
【００３５】
この状態において紙幣が抜き取られると、抜き取られた紙幣の移動にともなってローラ２２が回転する。このローラ２２の回転はエンコーダ２３で検知される。紙幣処理装置７は、エンコーダ２３によりローラ２２の回転が検知されると、停止している駆動側のローラ２１とローラ２２との回転数の相違から紙幣が抜き取られたと判定する。
【００３６】
紙幣処理装置７は、ｓ２６で紙幣が抜き取られたと判定すると、紙幣検知部１６のセンサ２４ａ、２４ｂの検出出力に基づいて今回紙幣放出口７ｂに放出した紙幣が全て抜き取られるか、またはｓ２５で計測を開始したタイマが予め定めた一定時間を計測するのを待つ（ｓ２８、ｓ２９）。紙幣処理装置７は、ｓ２９で紙幣検知部１６により今回紙幣放出口７ｂに放出した紙幣が全て抜き取られたと判定すると、本処理を終了する。
【００３７】
なお、紙幣処理装置７は、このとき保留部１４に紙幣を保留していれば、保留している紙幣を１枚ずつ繰り出し、鑑別部１３で金種を鑑別し、鑑別した金種に対応する収納部１１ａ、１１ｂ、１１ｃへ搬送し、収納する。
【００３８】
一方、紙幣処理装置７は、今回紙幣放出口７ｂに放出した紙幣が全て抜き取られる前に、ｓ２８でタイマの計測時間が予め定めた一定時間に達したと判定すると、紙幣放出口７ｂに残っている紙幣の回収を行うことなく（紙幣の回収を禁止し）、ｓ３０で係員に報知して本処理を終了する。このように、紙幣処理装置７は、紙幣放出口７ｂから放出した釣り銭紙幣の一部が抜き取られ、且つ釣り銭紙幣の放出から一定時間経過したときに抜き取られずに紙幣放出口７ｂに残っている紙幣を取り忘れ紙幣として回収せずに、係員に取り忘れ紙幣があることを報知する。したがって、紙幣放出口７ｂに抜き取られずに残っている紙幣が装置に回収されずに紙幣放出口７ｂにあるので、係員は紙幣放出口７ｂに放出されている紙幣を確認することができ、不足があれば、その場で一部の紙幣が抜き取られたかどうかについて直接利用者に尋ねることができる。したがって、利用者に対して迅速且つ適正に対応することができるだけでなく、利用者との間で無用なトラブルが生じるのを防止できる。また、実際に利用者が取り忘れた紙幣が紙幣放出口７ｂに残っていても、紙幣の一部が抜き取られていない場合、紙幣処理装置７はｓ２７でタイマの計測時間が予め定めた一定時間に達したと判定すると、取り忘れ紙幣回収処理を行い（ｓ３１）、取り忘れ紙幣が第３者に持ち去られることもない。
【００３９】
図８は、ｓ３１にかかる取り忘れ紙幣回収処理を示すフローチャートである。この処理は、上述の説明からも明らかなように、釣り銭紙幣放出口７ｂに釣り銭紙幣を放出してから、この釣り銭紙幣が１枚も抜き取られることなく、予め定めた一定時間経過したときに行われる処理である。
【００４０】
紙幣処理装置７は、ローラ２１を駆動して紙幣放出口７ｂから突出している紙幣束の装置内部への引き込みを開始する（ｓ４１）。このとき、紙幣処理装置７は、通常時における紙幣の搬送速度よりも低速の第１の速度で紙幣を搬送し、装置内部に引き込む。紙幣処理装置７は、紙幣の回収を開始すると、紙幣放出口７ｂから紙幣が突出していない状態になるまで、紙幣の抜き取りが生じたかどうかを監視する（ｓ４２、ｓ４３）。ｓ４２における抜き取りの検知は、紙幣が抜き取られると、抜き取られた紙幣の移動にともなってローラ２２が回転することから、エンコーダ２３によりローラ２２の回転を検知し、ローラ２１に与えている駆動信号によりローラ２１の回転を検出するとともに、ローラ２１とローラ２２の回転数の相違から判定される。紙幣処理装置７は、ｓ４２で紙幣の抜き取りが生じたと判定すると、すぐに紙幣の回収を停止し（ｓ４４）、ｓ４５で係員に報知して本処理を終了する。ｓ４４では、ローラ２１の回転を停止する。
【００４１】
ｓ４２で釣り銭紙幣の抜き取りが検知されたとき、釣り銭紙幣の搬送速度が比較的低速である第１の速度であるので、釣り銭紙幣の抜き取りを検知してから実際に釣り銭紙幣の搬送が停止されるまでの間に、釣り銭紙幣が搬送される距離はごくわずかである。したがって、取り忘れ紙幣の回収時に、釣り銭紙幣が抜き取られたことを検知した場合、紙幣放出口７ｂに残っている紙幣が装置に回収されずに紙幣放出口７ｂから外部に突出しているので、係員は紙幣放出口７ｂに放出されている紙幣を確認することができ、不足があれば、その場で一部の紙幣が抜き取られたかどうかについて直接利用者に尋ねることができる。したがって、利用者に対して迅速且つ適正に対応することができるだけでなく、利用者との間で無用なトラブルが生じるのを防止できる。
【００４２】
紙幣処理装置７は、紙幣の抜き取りが検知されることなく、紙幣検知部１６によりｓ４３で紙幣が紙幣放出口７ｂから外部に突出していない状態になったと判定すると、紙幣の搬送速度をより高速の第２の速度に切り替え、紙幣を回収紙幣収納部１２へ搬送し（ｓ４６）、釣り銭紙幣を全て回収紙幣収納部１２へ搬送すると、すなわち釣り銭紙幣の回収が完了すると、本処理を終了する（ｓ４７）ｓ４３にかかる紙幣放出口７ｂから釣り銭紙幣が外部に突出しているかどうかの判定は、ローラ２１に与えた駆動パルス数から、言い換えれば回収を開始してから釣り銭紙幣が搬送された搬送距離から、判定してもよい。また、ｓ４３で紙幣が装置外部に突出していない状態になったと判断すると、釣り銭紙幣の搬送速度を第１の速度よりも高速の第２の速度に切り替えるようにしているので、取り忘れ紙幣の回収にかかる処理時間の増大も抑えられ、券売機１の処理能力の低下を防止することができる。
【００４３】
なお、上記実施形態では、券売機を用いてこの発明にかかる紙幣処理装置を説明したが、本願発明にかかる紙幣処理装置は券売機だけでなく、乗車券類以外の物品を販売する自動販売機や、両替機等、いろいろな装置に適用できる。
【図面の簡単な説明】
【００４４】
【図１】この発明の実施形態である紙幣処理装置を適用した券売機の正面図である。
【図２】この発明の実施形態である紙幣処理装置を適用した券売機の構成を示すブロック図である。
【図３】この発明の実施形態である紙幣処理装置の構成を示す図である。
【図４】この発明の実施形態でる紙幣処理装置における紙幣放出口付近を示す図である。
【図５】この発明の実施形態である券売機における乗車券類の発券動作を示すフローチャートである。
【図６】この発明の実施形態である紙幣処理装置の釣り銭紙幣放出処理を示すフローチャートである。
【図７】釣り銭紙幣放出口から釣り銭紙幣が放出されている状態を示す図である。
【図８】この発明の実施形態である紙幣処理装置の取り忘れ紙幣回収処理を示すフローチャートである。
【符号の説明】
【００４５】
１−券売機
２−制御部
７ａ−紙幣放出口
７−紙幣処理装置
１５−重ね合せ部
１６−紙幣券恥部
１７−抜き取り検知部
【図１】
2005251114.tif 000003
【図２】
2005251114.tif 000004
【図３】
2005251114.tif 000005
【図４】
2005251114.tif 000006
【図５】
2005251114.tif 000007
【図６】
2005251114.tif 000008
【図７】
2005251114.tif 000009
【図８】
2005251114.tif 000010